(57)【要約】    【課題】  バッテリー残量が少ないときでも、外部装置とデータ通信を可能とする無線通信装置、無線通信方法及び無線通信プログラムを提供する。    【解決手段】  バッテリー２０９を有するプリンタ２と無線接続されると共にバッテリー１０９を有するデジタルカメラ１は、プリンタ２から送信されるバッテリー２０９のバッテリー残量ｂの情報及び電波を受信し（ステップＳ５０６、Ｓ５０７）、バッテリー２０９のバッテリー残量ｂとバッテリー１０９のバッテリー残量ａとを比較し（ステップＳ５０９）、この比較の結果、バッテリー１０９のバッテリー残量ａがバッテリー２０９のバッテリー残量ｂよりも少ないときは、上記受信された電波に基づいて誘導電力を作成し、当該作成された誘導電力に基づいてプリンタ２とデータ通信を行う（ステップＳ５１０，５１２）。【選択図】      図５
2006287536.tif 000002
【特許請求の範囲】
【請求項１】
第１電源供給手段を有する外部装置と無線接続されると共に第２電源供給手段を有する無線通信装置において、
前記外部装置から送信される前記第１電源供給手段による電源供給能力の情報及び電波を受信する受信手段と、
前記受信手段により受信された前記第１電源供給手段による電源供給能力と前記第２電源供給手段による電源供給能力とを比較する比較手段と、
前記比較手段による比較の結果に応じて、前記受信手段により受信された電波により発生した電力に基づいて前記外部装置とデータ通信を行うデータ通信手段と
を備えることを特徴とする無線通信装置。
【請求項２】
前記データ通信手段は、前記第２電源供給手段による電源供給能力が前記第１電源供給手段による電源供給能力よりも低いときに、前記受信手段により受信された電波により発生した電力に基づいて前記外部装置とデータ通信を行うことを特徴とする請求項１記載の無線通信装置。
【請求項３】
前記データ通信手段は、前記第２電源供給手段による電源供給能力が前記第１電源供給手段による電源供給能力よりも高いときには、前記第２電源供給手段から供給される電源を使って前記外部装置とデータ通信を行うことを特徴とする請求項１記載の無線通信装置。
【請求項４】
前記受信手段は、前記外部装置とデータ通信中又はデータ通信を開始する前に、前記外部装置から前記第１電源供給手段による電源供給能力の情報を受信することを特徴とする請求項１乃至３のいずれか１項記載の無線通信装置。
【請求項５】
前記受信手段は、前記外部装置から前記第１電源供給手段による電源供給能力の情報を所定の周期毎に受信し、前記比較手段は、前記受信手段により受信された前記第１電源供給手段による電源供給能力と前記第２電源供給手段による電源供給能力とを所定の周期毎に比較することを特徴とする請求項１乃至４のいずれか１項記載の無線通信装置。
【請求項６】
前記外部装置とデータ通信中に、前記第２電源供給手段による電源供給能力が前記第１電源供給手段による電源供給能力よりも低くなったときは、前記データ通信手段は、前記受信手段により受信された電波により発生した誘導電力に基づいて前記外部装置とデータ通信を行うことを特徴とする請求項１乃至５のいずれか１項記載の無線通信装置。
【請求項７】
前記データ通信手段は、前記無線通信装置が外部電源に接続されたときに、前記第２電源供給手段から供給される電源を使って前記外部装置とデータ通信を行い、前記外部装置が当該外部電源に接続されたときに、前記受信手段により受信された電波により発生した誘導電力に基づいて前記外部装置とデータ通信を行うことを特徴とする請求項１乃至６のいずれか１項記載の無線通信装置。
【請求項８】
第１電源供給手段を有する外部装置と無線接続されると共に第２電源供給手段を有する無線通信装置の無線通信方法において、
前記外部装置から送信される前記第１電源供給手段による電源供給能力の情報及び電波を受信する受信工程と、
前記受信工程により受信された前記第１電源供給手段による電源供給能力と前記第２電源供給手段による電源供給能力とを比較する比較工程と、
前記比較工程による比較の結果に応じて、前記受信工程により受信された電波により発生した誘導電力に基づいて前記外部装置とデータ通信を行うデータ通信工程と
を備えることを特徴とする無線通信方法。
【請求項９】
第１電源供給手段を有する外部装置と無線接続されると共に第２電源供給手段及び無線部を有する無線通信装置を制御するプログラムにおいて、
無線部により受信した電波と共に前記外部装置から送信される前記第１電源供給手段による電源供給能力の情報を受信する受信モジュールと、
前記受信モジュールにより受信された前記第１電源供給手段による電源供給能力と前記第２電源供給手段による電源供給能力とを比較する比較モジュールと、
前記比較モジュールによる比較の結果に応じて、前記無線部により受信した電波により発生した誘導電力に基づいて前記外部装置とデータ通信を行うデータ通信モジュールと
を備えることを特徴とするプログラム。
【発明の詳細な説明】
【技術分野】
【０００１】
本発明は、外部装置とデータ通信を行う無線通信装置、無線通信方法及びプログラムに関する。
【背景技術】
【０００２】
近年、デジタルカメラや携帯電話、ＰＤＡ（携帯情報端末）など、バッテリー駆動の機器が普及している。これらのバッテリーによる動作時間の延伸のため、これらの機器の消費電力は少ないことが要求されている。
【０００３】
また、近年、ＩＣカードなどにより構成された定期券による自動改札処理や、ＩＤカードによる入退出処理を行う際に、カードとゲートとの間を非接触型の近距離無線方式により通信を行う無線システムが提案されている（例えば、特許文献１参照）。
【０００４】
当該無線システムにおいては、通信を起動する側の機器（イニシエータ）が呼ばれる側の機器（ターゲット）に対して、電力搬送波の電磁誘導により電力供給を行う。即ち上記の例では、電源を持たないカードに対し、ゲート側から電磁誘導により電力を供給する。ゲート上にカードをかざすとカード内に電力が励起され、カードが動作状態となる。
【特許文献１】特許第３４５７２２５号
【発明の開示】
【発明が解決しようとする課題】
【０００５】
しかしながら、上記技術では、通信の起動要求側が通信相手に電力を供給する必要があるため、バッテリー駆動機器においては自己のバッテリー残量が少なく、相手に電力を供給する余裕がない場合には通信が不可能となる。
【０００６】
また、常に相手からの起動および電力供給を待つようにすれば、通信は可能となるが、緊急を要する通信やリアルタイム性が要求される通信ができないという問題がある。
【０００７】
本発明の目的は、このような課題に鑑み、バッテリー残量に応じた方法での通信を可能とし、例えばバッテリー残量が少ないときでも、外部装置とデータ通信を可能とする無線通信装置、無線通信方法及びプログラムを提供することにある。
【課題を解決するための手段】
【０００８】
上記目的を達成するため、請求項１の無線通信装置は、第１電源供給手段を有する外部装置と無線接続されると共に第２電源供給手段を有する無線通信装置において、前記外部装置から送信される前記第１電源供給手段による電源供給能力の情報及び電波を受信する受信手段と、前記受信手段により受信された前記第１電源供給手段による電源供給能力と前記第２電源供給手段による電源供給能力とを比較する比較手段と、前記比較手段による比較の結果に応じて、前記受信手段により受信された電波により発生した電力に基づいて前記外部装置とデータ通信を行うデータ通信手段とを備えることを特徴とする。
【０００９】
請求項８の無線通信方法は、第１電源供給手段を有する外部装置と無線接続されると共に第２電源供給手段を有する無線通信装置の無線通信方法において、前記外部装置から送信される前記第１電源供給手段による電源供給能力の情報及び電波を受信する受信工程と、前記受信工程により受信された前記第１電源供給手段による電源供給能力と前記第２電源供給手段による電源供給能力とを比較する比較工程と、前記比較工程による比較の結果に応じて、前記受信工程により受信された電波により発生した誘導電力に基づいて前記外部装置とデータ通信を行うデータ通信工程とを備えることを特徴とする。
【００１０】
請求項９の無線通信プログラムは、第１電源供給手段を有する外部装置と無線接続されると共に第２電源供給手段及び無線部を有する無線通信装置を制御するプログラムにおいて、無線部により受信した電波と共に前記外部装置から送信される前記第１電源供給手段による電源供給能力の情報を受信する受信モジュールと、前記受信モジュールにより受信された前記第１電源供給手段による電源供給能力と前記第２電源供給手段による電源供給能力とを比較する比較モジュールと、前記比較モジュールによる比較の結果に応じて、前記無線部により受信した電波により発生した誘導電力に基づいて前記外部装置とデータ通信を行うデータ通信モジュールとを備えることを特徴とする。
【発明の効果】
【００１１】
請求項１の無線通信装置、請求項８の無線通信方法及び請求項９の無線通信プログラムによれば、外部装置から第１電源供給手段による電源供給能力の情報及び外部装置から送信される電波が受信され、受信された第１電源供給手段による電源供給能力と第２電源供給手段による電源供給能力とが比較され、比較の結果に応じて、受信された電波により発生した電力に基づいて外部装置とデータ通信が行われるので、バッテリー残量に応じた方法での通信が可能になる。例えばバッテリー残量が少ないときでも、外部装置とデータ通信を可能とするという効果を奏する。即ち、バッテリー残量が少ないときでも相手からの電波により発生した電力を利用してデータ通信が可能となる効果を有する。
【００１２】
請求項６の無線通信装置によれば、外部装置とデータ通信中に、第２電源供給手段による電源供給能力が第１電源供給手段による電源供給能力よりも低くなったときでも、外部装置とデータ通信を可能とするという効果を奏する。
【発明を実施するための最良の形態】
【００１３】
以下、本発明を図面を参照して具体的に説明する。
【００１４】
図１は、本発明の実施の形態に係る無線通信装置が適用されたデジタルカメラの構成を示す図である。
【００１５】
本実施の形態に係るデジタルカメラ１は、同図に示すように、ＮＦＣ（近距離無線：Near Field Communication）部と撮像部とから構成され、アンテナ回路１０１、整流回路１０２、電源切替回路１０３、変復調回路１０４、ＮＦＣ＿ＣＰＵ１０５、不揮発メモリ１０６、ＲＡＭ（Randam Access Memory）１０７、操作部１０８、バッテリー１０９、メインＣＰＵ１１０、画像メモリ１１１、制御バス１１２及び通信バス１１３を備えている。
【００１６】
ＮＦＣ部は、アンテナ回路１０１、整流回路１０２、変復調回路１０４、ＮＦＣ＿ＣＰＵ１０５、不揮発メモリ１０６、ＲＡＭ１０７、制御バス１１２及び通信バス１１３を備えており、撮像部は、操作部１０８、メインＣＰＵ１１０、画像メモリ１１１及び通信バス１１３を備えている。
【００１７】
アンテナ回路１０１は、図３に示すようにコイルＬとコンデンサＣが並列接続された共振回路により構成されており、プリンタ２から送信される電波を受信するとともにプリンタ２側へ電波を送信する。コイルＬは一般に渦巻状のプリントパターンにより構成される。
【００１８】
電磁誘導によりアンテナ回路１０１に発生した交流電圧は整流回路１０２により直流電圧に変換され、不図示のスーパーキャパシタ等に蓄電される。さらに、電源切替回路１０３により安定化がなされる。電源切替回路１０３はＮＦＣ部各部へ供給する電源の供給源を、スーパーキャパシタ等に蓄電された誘導電力（図１の「Ａ」）とバッテリー１０９の出力（図１の「Ｂ」）とに切り替える機能も有する。
【００１９】
変復調回路１０４は、アンテナ回路１０１に励起したキャリア（電波）を包絡線検波し、キャリアの包絡線に重畳されているデータをＮＦＣ＿ＣＰＵ１０５へ出力する。また、ＮＦＣ＿ＣＰＵ１０５から出力される送信データの「０」「１」信号に対して、データ「１」を最大振幅のデータとして変調、及び受信信号の最大振幅をデータ「１」に復調し、データ「０」を最小振幅のデータとして変調、及び受信信号の最小振幅をデータ「０」に復調し、最大振幅と最小振幅との比率が１０：９となる振幅変調を施す。
【００２０】
ＮＦＣ＿ＣＰＵ１０５は、ＮＦＣ部各部の制御を司る。ＮＦＣ部の動作を規定するプログラムはファームウエアとして不揮発メモリ１０６に格納されている。ＲＡＭ１０７はＮＦＣ＿ＣＰＵ１０５の作業領域を提供する。操作部１０８は通信起動要求などのために用いられる。バッテリー１０９は、デジタルカメラ１の各部への電源を供給する。バッテリー１０９の出力は撮像部各部への電源として接続されており、また、電源切替部１０３へも接続されている。
【００２１】
不揮発メモリ１０６、ＲＡＭ１０７、操作部１０８及びバッテリー１０９は、制御バス１１２によりＮＦＣ＿ＣＰＵ１０５に接続されている。
【００２２】
メインＣＰＵ１１０は、図示しない光学系、ＣＣＤ、画像処理部、ＬＣＤなど撮像部各部の制御を司る。さらに電源切替回路１０３の切替動作制御も司る。撮像した画像は画像メモリ１１１に格納されている。メインＣＰＵ１１０とＮＦＣ＿ＣＰＵ１０５は通信バス１１３により接続されている。
【００２３】
図２は、図１のプリンタの構成を示す図である。
【００２４】
このプリンタ２は、図２に示すように、ＮＦＣ（近距離無線：Near Field Communication）部と印刷部とから構成され、アンテナ回路２０１、整流回路２０２、電源切替回路２０３、変復調回路２０４、ＮＦＣ＿ＣＰＵ２０５、不揮発メモリ２０６、ＲＡＭ（Randam Access Memory）２０７、操作部２０８、バッテリー２０９、メインＣＰＵ２１０、印刷ヘッド２１１、制御バス２１２及び通信バス２１３を備えている。
【００２５】
プリンタ２が備える各部２０１〜２０９については、上述のデジタルカメラ１が備える各部１０１〜１０９と同様であり、詳細な説明は省略する。
【００２６】
メインＣＰＵ２１０は、図示しない印刷データ生成部、給紙制御部など印刷部各部の制御を司る。さらに電源切替回路２０３の切替動作の制御も司る。メインＣＰＵ２１０とＮＦＣ＿ＣＰＵ２０５は通信バス２１３により接続され、メインＣＰＵ２１０が受信したデータは印刷形式に変換された後、印刷ヘッド２１１により印刷される。
【００２７】
次に、図４のシーケンスに従い、デジタルカメラ１からプリンタ２へ画像を送信して印刷する場合のデジタルカメラ１及びプリンタ２の動作を説明する。
【００２８】
ここでは、ＮＦＣ部の動作モードについて、通信相手が送信するキャリアからの誘導電力で動作するモードをパッシブモード、自らの電源により動作するモードをアクティブモードと規定する。
【００２９】
図４のシーケンスではデジタルカメラ１のデフォルトは待機状態であり、デジタルカメラ１及びプリンタ２では動作モードがパッシブモードに設定されている。
【００３０】
デジタルカメラ１に操作部１０８から画像送信の要求が入力されると、ネゴシエーションフェーズへ移行する。ネゴシエーションフェーズでは、デジタルカメラ１の動作モードはアクティブモードに設定される。このときプリンタ２の動作モードはパッシブモードのままである。アクティブモードでは、電源切替回路１０３が"Ｂ"側となるようにメインＣＰＵ１１０が制御を行い、バッテリー１０９の出力ＢがＮＦＣ部の電源として供給される。
【００３１】
デジタルカメラ１がバッテリ１０９のバッテリー残量ａを検出すると、プリンタ２がバッテリ２０９のバッテリー残量ｂを検出するためのコマンドをバッテリー残量ａの情報とともにプリンタ２に通知する。
【００３２】
プリンタ２はこのコマンドを受信して、バッテリ２０９のバッテリー残量ｂを検出し、検出されたバッテリー残量ｂの情報をデジタルカメラ１にレスポンスとして通知する。
【００３３】
その後、デジタルカメラ１及びプリンタ２のそれぞれで、バッテリー残量ａとバッテリー残量ｂの残量比較を行い、デジタルカメラ１及びプリンタ２はデータ通信フェーズに移行する。
【００３４】
デジタルカメラ１では、バッテリー残量ａとバッテリー残量ｂの残量比較の結果、バッテリー残量ａがバッテリー残量ｂより多い場合には動作モードがアクティブモードに設定され、バッテリー残量ｂがバッテリー残量ａより多い場合には動作モードはパッシブモードに設定される。
【００３５】
プリンタ２では、バッテリー残量ａとバッテリー残量ｂの残量比較の結果、バッテリー残量ｂがバッテリー残量ａより多い場合には動作モードはアクティブモードに設定され、バッテリー残量ａがバッテリー残量ｂより多い場合には動作モードはパッシブモードに設定される。
【００３６】
その後、設定されたモードにおいて、画像データがデジタルカメラ１からプリンタ２に送信され、通信が終了した旨がデジタルカメラ１からプリンタ２に通知され、その確認通知がプリンタ２からデジタルカメラ１に送信され、デジタルカメラ１及びプリンタ２は動作を終了する。
【００３７】
次に、デジタルカメラ１及びプリンタ２の動作手順を図５のフローチャートに用いて説明する。
【００３８】
図５では、デジタルカメラ１のデフォルトはパッシブモードであり（ステップＳ５０１）、操作部１０８からの指示入力をスキャンして待機している（ステップＳ５０２）。ここで印刷開始の操作が行われるとメインＣＰＵ１１０が検知し（ステップＳ５０３）、アクティブモードへの遷移処理を行う（ステップＳ５０４）。
【００３９】
次に、電源オン状態となったデジタルカメラ１のＮＦＣ部において、ＮＦＣ＿ＣＰＵ１０５が制御バス１１２を介してバッテリー１０９の残量ａを検出し保存する（ステップＳ５０５）。そして、プリンタ２に対し、バッテリー残量通知要求のコマンドを送信するとともに、ステップＳ５０５で検出し保存されたバッテリー残量ａを送信する（ステップＳ５０６）。このときコマンドはプリンタ２へ電力を供給するキャリアとともに送信される。コマンド送信後は、プリンタ２からのレスポンス受信待ちとなり（ステップＳ５０７）、所定時間経過後に再送が行われるが、所定の再送回数に達した場合はエラーとなり初期状態へ戻る（ステップＳ５０８）。
【００４０】
次いで、プリンタ２からのレスポンスを受信し、プリンタ２のバッテリー残量ｂを受信したならば、ＮＦＣ＿ＣＰＵ１０５は、ステップＳ５０５で検出保存した自己のバッテリー残量ａとプリンタ２のバッテリー残量ｂを比較する（ステップＳ５０９）。
【００４１】
ステップＳ５０９の比較結果がバッテリー残量ａ＜バッテリー残量ｂであれば、通信バス１１３を介してメインＣＰＵ１１０へその旨を通知する。通知を受けたメインＣＰＵ１１０はパッシブモードへの遷移処理を行う（ステップＳ５１０）。パッシブモードでは、電源切替回路１０３が"Ａ"側となるようにメインＣＰＵ１１０が制御を行い、誘導電力ＡがＮＦＣ部の電源として供給される。
【００４２】
次に、メインＣＰＵ１１０は送信すべき画像を画像メモリ１１１から読み出し、通信バス１１３とのインタフェース部（図示せず）に保管する。
【００４３】
その後、プリンタ２からコマンド受信時にキャリア（電波）を受信すると、誘導電力が励起されて、デジタルカメラ１のＮＦＣ部がパワーオン状態となる。ＮＦＣ＿ＣＰＵ１０５は通信バスを介してメインＣＰＵ１１０内部のインタフェース部に保管された画像を読み出す。その後、ＮＦＣ各部を制御し、変復調回路１０４にて所定の変調を行い、当該画像をプリンタ２へ送信する（ステップＳ５１２）。
【００４４】
上記ステップＳ５０９の比較結果がバッテリー残量ａ＞バッテリー残量ｂであれば、アクティブモードを保持する（ステップＳ５１１）。即ち、自らのバッテリー１０９がＮＦＣ部の電源となる。続いて通信フェーズとなり、画像データをコマンドとしてプリンタ２へ送信する。
【００４５】
次いで、プリンタ２の動作を図５を用いて説明する。
【００４６】
プリンタ２のデフォルトはデジタルカメラ１と同様パッシブモードである（ステップＳ５０１）。操作部２０８からの指示入力およびキャリアの検出をメインＣＰＵ２１０がスキャンして待機している（ステップＳ５０２，ステップＳ５１３）。プリンタ２としては通常、操作指示入力はない（Ｎｏ）である（ステップＳ５０３でＮＯ）。キャリアが受信されない間はＮＦＣ部の電源がオフであるためキャリア有無の判定は、通常キャリア無し（Ｎｏ）である（ステップＳ５１４でＮＯ）。
【００４７】
しかし、ステップＳ５０６でデジタルカメラ１がバッテリー残量通知要求のコマンドをプリンタ２へ送信して、プリンタ２がそのキャリアを受信すると、プリンタ２のキャリア判定が有り（Ｙｅｓ）となり（ステップＳ５１４でＹｅｓ）、誘導電力が励起されて、ＮＦＣ部がパワーオン状態となる。
【００４８】
次に、電源オン状態となったＮＦＣ部において、ＮＦＣ＿ＣＰＵ２０５がバッテリー残量通知要求のコマンドを受信する（ステップＳ５１５）。コマンドの受信と同時にデジタルカメラ１のバッテリー残量ａも受信される。コマンド受信のアクションとして制御バス２１２を介してバッテリー２０９の残量ｂを検出し保存する（ステップＳ５１６）。そして、デジタルカメラ１へ対し、バッテリー残量通知要求コマンドのレスポンスとして、ステップＳ５１６で検出保存したバッテリー残量ｂを送信する（ステップＳ５１７）。
【００４９】
次に、受信したデジタルカメラ１のバッテリー残量ａとステップＳ５１６で検出保存した自己のバッテリー残量ｂを比較する（ステップＳ５１８）。
【００５０】
ステップＳ５１８の比較結果がバッテリー残量ａ＜バッテリー残量ｂであれば、通信バス２１３を介してメインＣＰＵ２１０へその旨を通知する。通知を受けたメインＣＰＵ２１０はアクティブモードへの遷移処理を行う（ステップＳ５１９）。アクティブモードでは、電源切替回路２０３が"Ｂ"側となるようにメインＣＰＵ２１０が制御を行い、バッテリー２０９の出力ＢがＮＦＣ部の電源として供給される。
【００５１】
その後、プリンタ２から画像取得コマンドが送信され、その応答としてデジタルカメラ１は画像をレスポンスとしてプリンタ２へ送信する。そして、プリンタ２がレスポンスを受信すると、ＮＦＣ＿ＣＰＵ２０５はＮＦＣ各部を制御し、変復調回路２０４にて所定の復調を行い、画像データを抽出する。ＮＦＣ＿ＣＰＵ２０５は抽出した画像データを通信バス２１３を介してメインＣＰＵ２１０へ転送する。メインＣＰＵ２１０は印刷部各部を制御して、当該画像データを印刷形式データに変換し、印刷ヘッドを経由して当該画像を印刷する（ステップＳ５２１）。
【００５２】
ステップＳ５１８の比較結果がバッテリー残量ａ＞バッテリー残量ｂであれば、プリンタ２はパッシブモードを保持する（ステップＳ５２０）。即ち、デジタルカメラ１からのキャリアによる誘導電力がＮＦＣ部の電源となる。続いて、デジタルカメラ１からコマンドとして送信された画像データを受信する。このコマンド受信時にキャリアを受信すると、誘導電力が励起されて、プリンタ２のＮＦＣ部がパワーオン状態となる。ＮＦＣ＿ＣＰＵ２０５は励起された電力を利用して変復調回路２０４により受信画像データを復調し、通信バス２１３を介して復調画像をメインＣＰＵ２１０に送信する。メインＣＰＵ２１０は受信したデータを印刷形式に変換し、印刷ヘッド２１１により印刷する。
【００５３】
以上説明したように、本実施の形態によれば、自己のバッテリー残量が相手のバッテリー残量よりも少ないときは、パッシブモードとなって相手からの電波に基づいて作成された誘導電力によってデータ通信が行われるので、バッテリー残量が少ないときでも、外部装置とデータ通信を可能とするという効果を奏する。
【００５４】
また、バッテリー残量が少ないときでもネゴシエーションフェーズの期間はアクティブモードとなる必要があるが、データ通信フェーズに比べて当該期間は短いため、一般的なバッテリーの能力を考慮すると無視できるレベルである。
【００５５】
上記実施の形態では、データ通信フェーズにおいて、デジタルカメラ１の動作モードがパッシブモードであり、画像データのサイズが所定値（例えば１ＭＢ）よりも大きく、画像データの送信に時間がかかる場合は、所定のサイズ（例えば、５００Ｋｂ）に分割して送信を行う。即ち、デジタルカメラ１による分割したデータの送信終了後、プリンタ２から新たにコマンド／キャリアを受信することにより、デジタルカメラ１は誘導電力を蓄電するようにしてもよい。また、そのレスポンスとして次の分割データを送信する。このようにして、蓄電を繰り返すことで、サイズの大きいデータを送信することができるようにしてもよい。
【００５６】
また、上記実施の形態では、デジタルカメラ１からプリンタ２へ送信する画像データはメインＣＰＵ１１０内部の通信バス１１３とのインタフェース部に保管した。この場合は、メインＣＰＵ１１０はバッテリー１０９により電源供給されるため、画像データの送信中にバッテリー１０９の残量がなくなると、画像データが読み出せず、画像データの送信ができなくなるおそれがある。
【００５７】
そこで、デジタルカメラ１からプリンタ２へ送信する画像データをＮＦＣ部の不揮発メモリ１０６に保管することで、バッテリー１０９の残量がなくなったときでも、キャリアによる誘導電力により画像通信を可能にできる。
【００５８】
また、上記実施の形態では、デジタルカメラ１及びプリンタ２のバッテリー残量の検出は両者間の通信の開始後のネゴシエーション期間に行ったが、通信開始前のデフォルト時に、周期的にバッテリー残量を検出し、結果は不揮発メモリ１０６，２０６に保管するようにしてもよい。この場合は、ネゴシエーション期間の手順を短縮することができる。
【００５９】
さらに、上記実施の形態では、デジタルカメラ１及びプリンタ２のバッテリー残量の検出および比較は、ネゴシエーション期間中の１回のみであったが、複数回行っても同様の効果があり、さらに、データ通信フェーズにおいて、画像データを伝送しながら周期的に行ってもよい。この場合は、デジタルカメラ１がアクティブモードでデータ送信中にバッテリー残量が低下したときでも、パッシブモードに遷移することでプリンタ２と通信を継続することが可能である。また、通信する画像データのデータ量に応じてバッテリー残量の検出および比較の回数を指定しても良い。
【００６０】
また、上記実施の形態では、バッテリー残量の多い装置がアクティブモードとなったが、外部電源に接続されたほうがアクティブモードとなるような制御を行っても同様の効果を有する。この場合、図５のステップＳ５０５及びステップＳ５１６のバッテリー残量検出において、外部電源接続の検出処理が加わり、当該外部電源接続が検出されたときは、バッテリー残量ａ／ｂには、所定のオフセット値が加算される。
【００６１】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００６２】
この場合、記憶媒体から読み出されたプログラムコード自体が前述した実施の形態の機能を実現することになり、そのプログラムコード及び該プログラムコードを記憶した記憶媒体は本発明を構成することになる。
【００６３】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００６４】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００６６】
【図１】本発明の実施の形態に係る無線通信装置が適用されたデジタルカメラの構成を示す図である。
【図２】図１のプリンタの構成を示す図である。
【図３】アンテナ回路の構成図である。
【図４】デジタルカメラ１からプリンタ２へ画像を送信して印刷する場合のデジタルカメラ１及びプリンタ２の動作のシーケンスを示す図である。
【図５】デジタルカメラ１及びプリンタ２の動作手順を示すフローチャートである。
【符号の説明】
【００６７】
１  デジタルカメラ
２  プリンタ
１０１，２０１  アンテナ回路
１０２，２０２  整流回路
１０３，２０３  電源切替回路
１０４，２０４  変復調回路
１０５，２０５  ＮＦＣ＿ＣＰＵ
１０６，２０６  不揮発メモリ
１０７，２０７  ＲＡＭ
１０８，２０８  操作部
１０９，２０９  バッテリー
１１０，２１０  メインＣＰＵ
１１１  画像メモリ
２１１  印刷ヘッド 
【図１】
2006287536.tif 000003
【図２】
2006287536.tif 000004
【図３】
2006287536.tif 000005
【図４】
2006287536.tif 000006
【図５】
2006287536.tif 000007